(57)【要約】【課題】容易且つ迅速に所望の画像ファイルを検索できるようにする。【解決手段】電源ＯＮ動作直後であるか否かを判断し（ステップＳ１０１）、電源ＯＮ動作直後であった場合には、「ラベルを作る」が選択された否かかを判断する（ステップＳ１０２）。「ラベルを作る」が選択された場合には、次に撮影される画像に付する次のファイル番号や、現在日時（記録日時）、現在位置等の当該カメラが有する情報をラベル（Ｌａｂｅｌ．ｔｘｔ）に書き込む（ステップＳ１０４）。また、「続いてラベル編集を行う」が選択されたか否かを判断する（ステップＳ１０５）。「続いてラベル編集を行う」の選択があった場合には、場所やその他の項目をラベルに入力し（ステップＳ１０７）、この入力された詳細情報をラベルに書き込む（ステップＳ１０８）。そして、画像再生時には、このラベルの情報に基づき、画像ファイルを検索する。【選択図】　　　　図３
2004088554.tif 000002
【特許請求の範囲】
【請求項１】
撮像した被写体の画像をファイルに変換しファイルを特定できる符号を付して画像記憶手段に記憶する撮像装置であって、
索引データ記憶手段と、
この索引データ記憶手段に、撮像される画像の前記符号を含む索引データを、所定の指示に応答して記憶させる記憶制御手段と、
を備えたことを特徴とする撮像装置。
【請求項２】
第１のモードにおいて、撮像した被写体の画像をファイルに変換しファイルを特定できる符号を付して画像記憶手段に記憶するとともに、第２のモードにおいて、前記画像記憶手段に記憶されているファイルに基づく画像を表示手段に表示する撮像装置であって、
索引データ記憶手段と、
前記第１のモードにおいて、前記索引データ記憶手段に、撮像される画像の前記符号を含む索引データを、所定の指示に応答して記憶させる記憶制御手段と、前記第２のモードにおいて、前記索引データ記憶手段に記憶されている前記索引データを前記表示手段に表示させる表示制御手段と、
を備えたことを特徴とする撮像装置。
【請求項３】
前記記憶制御手段は、前記索引データ記憶手段に、当該撮像装置が有する情報を更に記憶させることを特徴とする請求項１又は２記載の撮像装置。
【請求項４】
前記記憶制御手段は、前記索引データ記憶手段に、前記符号に対応するファイルの縮小画像データを更に記憶させることを特徴とする請求項１、２又は３記載の撮像装置。
【請求項５】
前記表示制御手段は、前記索引データの表示に引き続いて、当該索引データに含まれている前記符号が示すファイルに基づく画像を前記表示手段に表示させることを特徴とする請求項２記載の撮像装置。
【請求項６】
前記所定の指示とは、当該撮像装置の電源オン動作であることを特徴とする請求項１から５のいずれかに記載の撮像装置。
【請求項７】
前記所定の指示動作とは、当該撮像装置の電源オン動作と電源オフ動作とであり、前記記憶制御手段は、電源オン動作時における次に撮像される画像の前記符号と、電源オフ動作時において最後に撮像された画像の前記符号とを含む索引データを前記索引データ記憶手段に記憶させることを特徴とする請求項１から５のいずれかに記載の撮像装置。
【請求項８】
前記画像記憶手段の一部が前記索引データ記憶手段であることを特徴とする請求項１から７にいずれか記載の撮像装置。
【請求項９】
撮像した被写体の画像をファイルに変換しファイルを特定できる符号を付して画像記憶手段に記憶する撮像方法であって、
撮像される画像の前記符号を含む索引データを、所定の指示に応答して索引データ記憶手段に記憶させる記憶制御工程を含むことを特徴とする撮像方法。
【請求項１０】
第１のモードにおいて、撮像した被写体の画像をファイルに変換しファイルを特定できる符号を付して画像記憶手段に記憶するとともに、第２のモードにおいて、前記画像記憶手段に記憶されているファイルに基づく画像を表示手段に表示する撮像・再生方法であって、
前記第１のモードにおいて、前記索引データ記憶手段に、撮像される画像の前記符号を含む索引データを、所定の指示に応答して記憶させる記憶制御工程と、前記第２のモードにおいて、前記索引データ記憶手段に記憶されている前記索引データを前記表示手段に表示させる表示制御工程と、
を含むことを特徴とする撮像・再生装置。
【請求項１１】
撮像した被写体の画像をファイルに変換しファイルを特定できる符号を付して画像記憶手段に記憶する撮像装置が有するコンピュータを、撮像される画像の前記符号を含む索引データを、所定の指示に応答して索引データ記憶手段に記憶させる記憶制御手段として機能させることを特徴とする撮像装置制御プログラム。
【請求項１２】
第１のモードにおいて、撮像した被写体の画像をファイルに変換しファイルを特定できる符号を付して画像記憶手段に記憶するとともに、第２のモードにおいて、前記画像記憶手段に記憶されているファイルに基づく画像を表示手段に表示する撮像装置が有するコンピュータを、
前記第１のモードにおいて、索引データ記憶手段に、撮像される画像の前記符号を含む索引データを、所定の指示に応答して記憶させる記憶制御手段と、
前記第２のモードにおいて、前記索引データ記憶手段に記憶されている前記索引データを前記表示手段に表示させる表示制御手段と
して機能させることを特徴とする撮像装置制御プログラム。
【発明の詳細な説明】
【０００１】
【発明の属する技術分野】
本発明は、撮像装置、撮像方法及び撮像・再生方法、並びに撮像装置制御プログラムに関する。
【０００２】
【従来の技術】
近年、ビューファインダーとして機能する液晶表示器等からなる表示装置を備え、撮影した画像を他の機器を必要とすることなく液晶表示器等に再生して確認できるデジタルカメラが一般に普及している。こうしたデジタルカメラでは、ＣＣＤ等の固体撮像素子を用いて撮像した被写体画像を画像データとしてフラッシュメモリ等の記録媒体に記録しており、画像データは、ＪＰＥＧ（Ｊｏｉｎｔ　Ｐｈｏｔｏｇｒａｐｈｉｃ　Ｅｘｐｅｒｔ　Ｇｒｏｕｐ）等の所定フォーマットで圧縮されるとともに、ファイル番号を付されて、画像ファイルとして記録媒体に撮影した順番に記録されるようになっている。また、記録媒体の記憶容量も増大する傾向にあり、当該記録媒体に記録される画像ファイルの数も増大する傾向にある。
【０００３】
【発明が解決しようとする課題】
しかしながら、このように記録媒体に記録される画像ファイルの数が増大すると、撮影して記録した複数の画像ファイルの中から所望の画像ファイルを検索して表示装置に表示させることが困難となる。そこで、検索に際しては、画像サイズを極端に小さくして、複数枚分の画像ファイルに基づく画像を表示する機能（例えば９画面表示等）を具備したデジタルカメラも出現するに至っている。しかし、このように複数画面表示を行っても、所望の画像ファイルを見つけ出すまでには、複数回に及ぶ画面切換操作を行わなければならず、容易に所望のファイルを検索することはできない。
【０００４】
本発明は、かかる従来の課題に鑑みてなされたものであり、容易且つ迅速に所望の画像ファイルを検索することのできる撮像装置、撮像方法及び撮像装置制御プログラムを提供することを目的とするものである。
【０００５】
【課題を解決するための手段】
前記課題を解決するために請求項１記載の発明は、撮像した被写体の画像をファイルに変換しファイルを特定できる符号を付して画像記憶手段に記憶する撮像装置であって、索引データ記憶手段と、この索引データ記憶手段に、撮像される画像の前記符号を含む索引データを、所定の指示に応答して記憶させる記憶制御手段とを備える。したがって、索引データ記憶手段には、所定の指示がある毎に、撮像される画像の符号が記憶される。
【０００６】
したがって、符号を付されて画像記憶手段に記憶されているファイルに基づく画像を当該撮像装置にて再生表示する場合、あるいは画像記憶手段に記憶されているファイルに基づく画像を他の装置において再生表示する場合、索引データ記憶手段に記憶されている索引データを表示させれば、ユーザは所定の指示があった特定時点における符号を知ることができる。したがって、この符号を手掛かりにして、画像記憶手段に記憶されて符号を検索することにより、目的とする符号のファイルを迅速かつ容易に見つけ出すことができる。
【０００７】
また、請求項２記載の発明は、第１のモードにおいて、撮像した被写体の画像をファイルに変換しファイルを特定できる符号を付して画像記憶手段に記憶するとともに、第２のモードにおいて、前記画像記憶手段に記憶されているファイルに基づく画像を表示手段に表示する撮像装置であって、索引データ記憶手段と、前記第１のモードにおいて、前記索引データ記憶手段に、撮像される画像の前記符号を含む索引データを、所定の指示に応答して記憶させる記憶制御手段と、前記第２のモードにおいて、前記索引データ記憶手段に記憶されている前記索引データを前記表示手段に表示させる表示制御手段とを備えている。
【０００８】
したがって、符号を付されて画像記憶手段に記憶されているファイルに基づく画像を当該撮像装置にて再生表示する場合、第２のモードを設定すると、索引データ記憶手段に記憶されている索引データが表示手段に表示され、ユーザは所定の指示があった特定時点における符号を知ることができる。したがって、この符号を手掛かりにして、画像記憶手段に記憶されて符号を検索することにより、目的とする符号のファイルを迅速かつ容易に見つけ出して表示手段に表示させることができる。
【０００９】
また、請求項３記載の発明は、前記記憶制御手段は、前記索引データ記憶手段に、当該撮像装置が有する情報を更に記憶させる。したがって、索引データ記憶手段には、索引データとして例えば当該撮像装置が計時している日時等が記憶されることとなる。よって、索引データとして記憶されている情報を手掛かりとすることにより、目的とするファイルを見つけ出す際の検索がより容易となる。
【００１０】
また、請求項４記載の発明は、前記記憶制御手段は、前記索引データ記憶手段に、前記符号に対応するファイルの縮小画像データを更に記憶させる。したがって、索引データ記憶手段に索引データとして記憶された縮小画像データに基づく画像を手掛かりとすることにより、目的とするファイルを見つけ出す際の検索が一層容易となる。
【００１１】
また、請求項５記載の発明にあっては、前記表示制御手段は、前記索引データの表示に引き続いて、当該索引データに含まれている前記符号が示すファイルに基づく画像を前記表示手段に表示させる。したがって、この表示手段に表示された画像を手掛かりとすることにより、目的とするファイルを見つけ出す際の検索が一層容易となる。
【００１２】
また、請求項６記載の発明は、前記所定の指示とは、当該撮像装置の電源オン動作である。したがって、撮像を開始するに際して、当該撮像装置の電源をオンにすると、索引データ記憶手段に、撮像される画像の符号を含む索引データが記憶される。また、撮像装置の電源をオンにするのは、異なる日時や場所等で撮影を開始する場合が想定されることから、異なる日時や場所等で撮影を開始する際の符号を索引データとして記憶させることが可能となる。
【００１３】
また、請求項７記載の発明は、前記所定の指示動作とは、当該撮像装置の電源オン動作と電源オフ動作とであり、前記記憶制御手段は、電源オン動作時における次に撮像される画像の前記符号と、電源オフ動作時において最後に撮像された画像の前記符号とを含む索引データを前記索引データ記憶手段に記憶させる。したがって、索引データ記憶手段には、索引データとして電源オン動作時における次に撮像される画像の符号と、電源オフ動作時において最後に撮像された画像の符号とが記憶される。また、前述のように撮像装置の電源をオンにするのは、異なる日時や場所等で撮影を開始する場合が想定され、電源をオフにするのは、当該日時や場所等での撮影を終了する場合が想定されることから、異なる日時や場所等で撮影を開始及び終了する際の符号を索引データとして記憶させることが可能となる。
【００１４】
また、請求項８記載の発明は、前記画像記憶手段の一部が前記索引データ記憶手段である。よって、画像記憶手段には、ファイルが符号を付されて記憶されるのみならず、索引データも記憶される。よって、この画像記憶手段のみを用いて、目的とする符号のファイルを迅速かつ容易に見つけ出して表示することができる。更に、画像記憶手段が着脱自在である場合には、これを撮像装置から取り外して、他の機器にセットすることにより、他の機器においても、目的とする符号のファイルを迅速かつ容易に見つけ出して表示することができる。
【００１５】
また、請求項９記載の発明は、撮像した被写体の画像をファイルに変換しファイルを特定できる符号を付して画像記憶手段に記憶する撮像方法であって、撮像される画像の前記符号を含む索引データを、所定の指示に応答して索引データ記憶手段に記憶させる記憶制御工程を含む。したがって、記載した工程に従って処理を実行することにより、請求項１記載の発明と同様の作用効果を奏する。
【００１６】
また、請求項１０記載の発明は、第１のモードにおいて、撮像した被写体の画像をファイルに変換しファイルを特定できる符号を付して画像記憶手段に記憶するとともに、第２のモードにおいて、前記画像記憶手段に記憶されているファイルに基づく画像を表示手段に表示する撮像・再生方法であって、前記第１のモードにおいて、前記索引データ記憶手段に、撮像される画像の前記符号を含む索引データを、所定の指示に応答して記憶させる記憶制御工程と、前記第２のモードにおいて、前記索引データ記憶手段に記憶されている前記索引データを前記表示手段に表示させる表示制御工程を含む。したがって、記載した工程に従って処理を実行することにより、請求項２記載の発明と同様の作用効果を奏する。
【００１７】
また、請求項１１記載の発明は、撮像した被写体の画像をファイルに変換しファイルを特定できる符号を付して画像記憶手段に記憶する撮像装置が有するコンピュータを、撮像される画像の前記符号を含む索引データを、所定の指示に応答して索引データ記憶手段に記憶させる記憶制御手段として機能させる。したがって、前記コンピュータがこのプログラムに従って処理を実行することにより、請求項１記載の発明と同様の作用効果を奏する。
【００１８】
また、請求項１２記載の発明は、第１のモードにおいて、撮像した被写体の画像をファイルに変換しファイルを特定できる符号を付して画像記憶手段に記憶するとともに、第２のモードにおいて、前記画像記憶手段に記憶されているファイルに基づく画像を表示手段に表示する撮像装置が有するコンピュータを、前記第１のモードにおいて、索引データ記憶手段に、撮像される画像の前記符号を含む索引データを、所定の指示に応答して記憶させる記憶制御手段と、前記第２のモードにおいて、前記索引データ記憶手段に記憶されている前記索引データを前記表示手段に表示させる表示制御手段として機能させる。したがって、前記コンピュータがこのプログラムに従って処理を実行することにより、請求項２記載の発明と同様の作用効果を奏する。
【００１９】
【発明の実施の形態】
（第１の実施の形態）
以下、本発明の第１の実施の形態を図に従って説明する。図１は、各実施の形態に共通するデジタルカメラの電気的な回路構成を示すブロック図である。このデジタルカメラは、光学レンズ１、この光学レンズ１により結像されるＣＣＤ等の撮像素子２と、撮像素子２を駆動するためのＴＧ３と、撮像素子２から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路４を有している。そして、被写体の像が光学レンズ１を介して撮像素子２上に結像され、撮像素子２は信号を出力する。この撮像素子２から出力された信号は、ユニット回路４にて、サンプリング、増幅、デジタル化され、画像処理回路／ＣＰＵ６に送られて、画像処理回路／ＣＰＵ６内で輝度に変換され、輝度の積分やヒストグラム処理が行われる。
【００２０】
前記光学レンズ１は、ＡＦモータ等を備えるレンズ駆動回路５に保持されており、レンズ駆動回路５が画像処理回路／ＣＰＵ６の制御により駆動されることにより光軸方向に移動し、撮像素子２に結像される被写体像のフォーカスを調整する。また、ＡＥ制御時には、撮像素子２が、画像処理回路／ＣＰＵ６から送られるシャッターパルスに基づきＴＧ３によって駆動され、その電荷蓄積時間を制御される。これにより電子シャッターが実現される。
【００２１】
画像処理回路／ＣＰＵ６は各種の信号処理、及び画像処理機能を備えたものであり、ユニット回路４を経てデジタル信号に変換された撮像信号からビデオ信号を生成し、撮像素子２によって撮像した被写体像をスルー画像としてＴＦＴ液晶モニター等からなる表示装置７に表示させる。また、撮像時には、撮像信号を圧縮してＪＰＥＧフォーマットの画像ファイルを生成し、それをフラッシュメモリ等からなる画像記録媒体８に記憶させ、再生時には圧縮した画像ファイルを伸張して表示装置７に表示させる。なお、画像処理回路／ＣＰＵ６は、現在日時を計時する時計部６１を備えており、画像記録媒体８は着脱自在である。
【００２２】
さらに、画像処理回路／ＣＰＵ６には、電源スイッチ、文字入力キー、ラベル作成指示キー、ラベル編集モードキー、他のモード設定キー、決定キー、カーソルキー、スクロールキー、シャッターキー等の各種のスイッチを含む操作キー部９、メモリー１０、ＧＰＳ（Ｇｌｏｂａｌ　Ｐｏｓｉｔｉｏｎｉｎｇ　Ｓｙｓｔｅｍ）モジュール１１が接続されている。メモリー１０は、画像処理回路／ＣＰＵ６による各部の制御及び各種データ処理に必要な動作プログラムが記録されたプログラムＲＯＭであり、後述するフローチャートに示す処理を実行するためのプログラムが記憶されている。
【００２３】
ＧＰＳモジュール１１は、測地衛星からのＬ１帯のＣ／Ａコードを受信して復調・解読し現在位置の緯度・経度を割り出すものであり、ＧＰＳモジュール２１３により割り出された緯度・経度の情報は画像処理回路／ＣＰＵ６に取り込まれる。
【００２４】
図２は、図１は、各実施の形態に共通する画像記録媒体８のファイル構成図である。メインとなるディレクトリ（Ａ−Ｄｉｒｅｃｔｏｒｙ）の下に、後述するように画像ファイルの情報が記憶されたラベル（ＬＡＢＥＬ）がテキストデータでＬａｖｅｌ１．ｔｘｔ、Ｌａｖｅｌ２．ｔｘｔ、・・・と記憶されるとともに、撮影された画像（ＤＡＴＡ）がシーケンシャルな番号からなるファイル番号Ａ０００１．ｊｐｇ、Ａ０００２．ｊｐｇ、・・・を付されて、画像ファイルとして記憶されるように構成されている。
【００２５】
なお、メモリー１０は、プログラム等の記憶データを必要に応じて書き換え可能なメモリであってもよい。また、前記プログラムやデータは、その一部が画像記録媒体８に記憶される構成であってもよい。
【００２６】
次に、以上の構成からなるデジタルカメラの動作を図３に示すフローチャートに従って説明する。図３のフローチャートは、表示装置７にスルー画像を表示するキャプチャーモード（撮像モード）が選択された撮像待機状態からの処理手順を示すものである。
【００２７】
まず、画像処理回路／ＣＰＵ６は前記プログラムに基づき、電源ＯＮ動作直後であるか否かを判断する（ステップＳ１０１）。電源ＯＮ動作直後であった場合には、「ラベルを作る」かどうかの選択画面を表示装置７に表示して、これが決定キーの操作により選択されたか否か、あるいは予め「ラベルを作る」が選択されていたか否かを判断する（ステップＳ１０２）。そして、「ラベルを作る」の選択があった場合（ステップＳ１０１及びＳ１０２；ＹＥＳ）には、次に撮影される画像に付する次のファイル番号や、時計部６１で計時されている現在日時（記録日時）、あるいはＧＰＳモジュール１１により検出されている現在位置（緯度・経度）等の当該カメラが有する情報をテキストデータでラベル（Ｌａｂｅｌ．ｔｘｔ）に書き込む（ステップＳ１０４）。また、電源ＯＮ動作直後でない場合（ステップＳ１０１；ＮＯ）であっても、操作キー部９にてラベル作成指示キーが操作されて、ラベル作成コマンドがあった場合には（ステップＳ１０３；ＹＥＳ）には、その時点で次のファイル番号や、現在日時（記録日時）、現在位置（緯度・経度）等の当該カメラが有する情報をテキストデータでラベル（Ｌａｂｅｌ．ｔｘｔ）に書き込む（ステップＳ１０４）。
【００２８】
したがって、以上のステップＳ１０１〜Ｓ１０４の処理が実行されることにより、電源ＯＮ動作直後に「ラベルを作る」が選択された場合、及びラベル作成コマンドがあった時点で、次の画像ファイル番号や記録日時等がラベルに書き込まれて、図２に示したように、Ｌａｖｅｌ１．ｔｘｔ、Ｌａｖｅｌ２．ｔｘｔ、・・・が画像記録媒体８に記録される。また、図４に示すように、例えば「Ｌａｖｅｌ１．ｔｘｔ」には、前述した次のファイル番号である「ＳｔａｒｔＦｉｌｅＮａｍｅ：Ａ０００１．ｊｐｇ」、記録日「Ｄａｔｅ：２００１０９０２」、時間「Ｔｉｍｅ：１３５０２０」、場所「Ｐｌａｃｅ：緯度：○○緯度××」が記録されることとなる。
【００２９】
しかる後に、「続いてラベル編集を行う」かどうかの選択画面を表示装置７に表示して、これが選択されたか否かを判断する（ステップＳ１０５）。決定キーの操作により「続いてラベル編集を行う」の選択があった場合（ステップＳ１０５；ＹＥＳ）には、操作キー部９での文字入力キーの操作に基づく、場所やその他の項目をラベル（Ｌａｂｅｌ．ｔｘｔ）に入力し（ステップＳ１０７）、この入力された詳細情報をラベル（Ｌａｂｅｌ．ｔｘｔ）に書き込む（ステップＳ１０８）。また、「続いてラベル編集を行う」の選択がなかった場合（ステップＳ１０５；ＮＯ）であっても、操作キー部９にてラベル編集モードキーが操作されて、ラベル編集コマンドがあった場合（ステップＳ１０６；ＹＥＳ）には、その時点で、操作キー部９での文字入力キーの操作に基づく、場所やその他の項目をラベル（Ｌａｂｅｌ．ｔｘｔ）に入力し（ステップＳ１０７）、この入力された詳細情報をラベル（Ｌａｂｅｌ．ｔｘｔ）に書き込む（ステップＳ１０８）。
【００３０】
したがって、以上のステップＳ１０５〜Ｓ１０８の処理が実行されることにより、「続いてラベル編集を行う」の選択があった場合、及びラベル編集コマンドがあった場合には、入力された詳細情報がラベル（Ｌａｂｅｌ．ｔｘｔ）が書き込まれて、図４に示したように、場所として「遊園ランド」が書き込まれたり、その他の事項「Ｅｔｃ：＊＊＊＊＊＊」が書き込まれることとなる。
【００３１】
しかる後に、ユーザが光学レンズ１を所望の被写体に向けてシャッターキー操作を行うと、撮像素子２から出力された信号は、ユニット回路４にて、サンプリング、増幅、デジタル化され、画像処理回路／ＣＰＵ６に送られてＪＰＥＧ形式の画像ファイルが生成され、まず前述のステップＳ１０４でラベル（Ｌａｂｅｌ．ｔｘｔ）に書き込まれた「次のファイル番号」が付されて、画像記録媒体８に記憶される。さらに、シャッターキー操作が行われる毎に、次のファイル番号が付されて画像ファイルが画像記録媒体８に記憶される。したがって、シャッターキー操作が行われる毎に、図２に示しように、ファイル番号Ａ０００１．ｊｐｇ、Ａ０００２．ｊｐｇ、・・・と連続的なファイル番号が付されて画像ファイルが記録されることとなる。
【００３２】
また、ユーザが再生モードを選択すると、画像処理回路／ＣＰＵ６は前記プログラムに基づき図５に示すフローチャートに従って、「ラベルを表示」かどうかの選択画面を表示装置７に表示し、これが決定キーの操作により選択されてラベル表示コマンドが発生したか否かを判断する（ステップＳ２０１）。ラベル表示コマンドが発生したならば、予めラベル毎に付されている全ラベル「Ｌａｂｅｌ＊．ｔｘｔ」のラベルナンバー「＊ナンバー」を読み込み、まず最少ナンバーのラベルを選択ラベルとしてその情報を表示する（ステップＳ２０２）。したがって、例えば「Ｌａｂｅｌ１．ｔｘｔ」〜「Ｌａｂｅｌ３．ｔｘｔ」が記録されていたとすると、表示装置７には図６（Ａ）に示すように、「Ｌａｂｅｌ１．ｔｘｔ」の情報が表示される。
【００３３】
次に、操作キー部９でのカーソルキーの操作により、選択ラベルが変更されたか否かを判断し（ステップＳ２０３）、選択ラベルが変更されたならば、選択されているラベルの情報を表示する（ステップＳ２０４）。したがって、「Ｌａｂｅｌ１．ｔｘｔ」から「Ｌａｂｅｌ１．ｔｘｔ」に変更された場合には、図６（Ｂ）に示すように表示装置７には、「Ｌａｂｅｌ１．ｔｘｔ」の情報が表示される。また、選択ラベルを変更することにより、「Ｌａｂｅｌ１．ｔｘｔ」〜「Ｌａｂｅｌ３．ｔｘｔ」のラベルの情報を表示装置７に表示させることができる。
【００３４】
よって、ユーザは表示装置７に変更されて表示されるラベルの情報を視認することにより、表示させるようとする目的の画像ファイルがいずれのラベルに対応するかを認識することができる。そして、目的の画像ファイルに対応するラベルの内容が表示された時点で決定キーを操作すると、ステップＳ２０５からステップＳ２０６に進み、選択されたラベルの情報に基づき、当該ラベルの情報として記録されている先頭の画像ファイルを読み込み、表示装置７に再生表示する（ステップＳ２０６）。
【００３５】
これにより、表示装置７には、前述のステップＳ１０４でラベルに書き込まれたファイル番号に対応する画像ファイルに基づく画像が表示されることとなる。したがって、当該画像ファイルが目的とする画像ファイルであれば、以上の操作のみにより所望の画像ファイルを検索して表示することができる。また、当該画像ファイルが目的とする画像ファイルでない場合であっても、表示された画像ファイルのファイル番号に近いファイル番号で目的の画像ファイルが記録されているし、表示されている画像から何番目に目的の画像ファイルが記録されているかを思い出すこともできる。したがって、操作キー部９にてスクロールキーを操作することにより、目的とする画像を容易かつ迅速に表示させることができる。
【００３６】
他方、決定キーが操作されない場合（ステップＳ２０５；ＮＯ）には、操作キー部９にての操作に基づくラベル表示解除コマンドが発生したか否かを判断する（ステップＳ２０７）。そして、ラベル表示解除コマンドない場合にはステップＳ２０３からの処理を繰り返し、ラベル表示解除コマンドが発生した時点でこのフローに従った処理を終了する。
【００３７】
（第２の実施の形態）
図７は、本発明の第２の実施の形態におけるキャプチャーモード（撮像モード）が選択された撮像待機状態からの処理手順を示すフローチャートである。このフローチャートにおいて、ステップＳ３０１〜Ｓ３０８は、前述の図３に示した第１の実施の形態におけるステップＳ１０１〜Ｓ１０８と同一の処理である。但し、この第２の実施の形態においては、第１の実施の形態におけるステップＳ１０４に対応するステップＳ３０４で、次のファイル番号や、現在日時（記録日時）、現在位置（緯度・経度）等の当該カメラが有する情報をＨＴＭＬ形式でラベル（Ｌａｂｅｌ．ｈｔｍ）に書き込む。また、第１の実施の形態におけるステップＳ１０７及びステップＳ１０８に対応するステップＳ３０７及びステップＳ３０８においても、ＨＴＭＬ形式でラベル（Ｌａｂｅｌ．ｈｔｍ）に書き込みを行う。
【００３８】
そして、ステップＳ３０６又はステップＳ３０８に続くステップＳ３０９では、シャッターキーが操作されたか否かを判断し、シャッターキーが操作されたらば、これにより撮像された画像を当該ラベル（Ｌａｂｅｌ．ｈｔｍ）に貼り付ける（ステップＳ３１０）。
【００３９】
すなわち、前述のように、シャッター操作を行うと、撮像素子２から出力された信号は、ユニット回路４にて、サンプリング、増幅、デジタル化され、画像処理回路／ＣＰＵ６に送られて画像ファイルが生成され、連続的な画像ファイル番号が付されて画像記録媒体８に記憶される。このとき、画像記録媒体８に記録される画像ファイルを縮小処理して、ラベル（Ｌａｂｅｌ．ｈｔｍ）に記録する。
【００４０】
また、本実施の形態においてユーザが再生モードを設定した場合には、前述した第１の実施の形態と同様に、図５に示したフローチャートに従って処理を実行する。したがって、ステップＳ２０４で、選択されているラベルの情報を表示すると、表示装置７には記録日や時間、場所等のみならず、当該ラベルの記録されている最初の画像（縮小画像）も表示されることとなる。よって、ユーザは表示装置７に表示された画像を視認することにより、表示させるようとする目的の画像ファイルがいずれのラベルに対応するかを一見して認識することができる。そして、目的の画像ファイルに対応するラベルの画像が表示された時点で決定キーを操作すると、ステップＳ２０５からステップＳ２０６に進み、選択されたラベルの情報に基づき、当該ラベルの情報として記録されている先頭の画像ファイルを読み込み、表示装置７に再生表示する（ステップＳ２０６）。
【００４１】
これにより、表示装置７には、前述のステップＳ３１０でラベルに書き込まれた画像に対応する画像ファイルに基づく画像が表示されることとなる。したがって、当該画像ファイルが目的とする画像ファイルであれば、以上の操作のみにより所望の画像ファイルを検索して表示することができる。また、当該画像ファイルが目的とする画像ファイルでない場合であっても、前述のように、操作キー部９にてスクロールキーを操作することにより、目的とする画像を容易かつ迅速に表示させることができる。
【００４２】
（第３の実施の形態）
図８は、本発明の第３の実施の形態における再生モードが選択された撮像待機状態からの処理手順を示すフローチャートである。このフローチャートにおいて、ステップＳ４０４を除くステップＳ４０１〜Ｓ４０３及びＳ４０５〜４０７は、前述の図５に示した第１の実施の形態におけるＳ２０１〜Ｓ２０３及びＳ２０５〜２０７と同一であり、ステップＳ４０４のみが異なっている。このステップＳ４０４においては、選択されているラベルの情報を表示するとともに、当該ラベルに記録されているファイル番号の画像を縮小表示する。
【００４３】
すなわち、この実施の形態において、キャプチャーモード（撮像モード）が選択された撮像待機状態からの処理手順は、図３に示した第１の実施の形態と同様である。したがって、ステップＳ１０４での処理により、ラベル（Ｌａｂｅｌ．ｔｘｔ）には、次に撮影される画像に付する次のファイル番号等が記録されている。また、前述のように、撮影モードにおいてシャッターキー操作が行われると、まず前述のステップＳ１０４でラベル（Ｌａｂｅｌ．ｔｘｔ）に書き込まれた「次のファイル番号」が付されて、画像記録媒体８に記憶される。よって、ステップＳ４０４では、当該ラベルに記録されているファイル番号に基づき、画像記録媒体８から当該ファイル番号が付されている画像ファイルを読み出してこれを縮小処理し、表示装置７に表示されているラベル内に表示する。
【００４４】
これにより、表示装置７には、図３に示したステップＳ１０４でラベルに書き込まれたファイル番号に対応する画像ファイルに基づく縮小画像が表示されることとなる。したがって、当該画像ファイルが目的とする画像ファイルであれば、以上の操作のみにより所望の画像ファイルを検索して表示することができる。また、当該画像ファイルが目的とする画像ファイルでない場合であっても、前述のように、操作キー部９にてスクロールキーを操作することにより、目的とする画像を容易かつ迅速に表示させることができる。
【００４５】
（第４の実施の形態）
図９は、本発明の第４の実施の形態におけるキャプチャーモード（撮像モード）が選択された撮像待機状態からの処理手順を示すフローチャートである。このフローチャートにおいて、ステップＳ５０１〜Ｓ５０８は、前述の図３に示したした第１の実施の形態におけるステップＳ１０１〜Ｓ１０８と同一の処理である。
【００４６】
そして、ステップＳ５０６又はステップＳ５０８に続くステップＳ５０９では、電源ＯＦＦ操作がなされたか否かを判断し、電源ＯＦＦ操作がなされたらば、電源ＯＦＦ直前のファイル番号や、時計部６１で計時されている現在日時（記録日時）、あるいはＧＰＳモジュール１１により検出されている現在位置（緯度・経度）等の当該カメラが有する情報をテキストデータで当該ラベル（Ｌａｂｅｌ．ｔｘｔ）に書き込む（ステップＳ５１０）。
【００４７】
したがって、本実施の形態によれば、図１０に示すように、例えば「Ｌａｖｅｌ１．ｔｘｔ」には、ステップＳ５０４での処理により、次のファイル番号である「ＳｔａｒｔＦｉｌｅＮａｍｅ：Ａ０００１．ｊｐｇ」、記録開始日「ＳｔａｒｔＤａｔｅ：２００１０９０２」、記録開始時間「ＳｔａｒｔＴｉｍｅ：１３５０２０」、場所「Ｐｌａｃｅ：緯度：○○緯度××」等が記録されるのみらず、ステップＳ５１０での処理により、前記電源ＯＦＦ直前のファイル番号である「ＥｎｄＦｉｌｅＮａｍｅ：Ａ０００２３．ｊｐｇ」、記録終了日「ＥｎｄＤａｔｅ：２００１０９０２」、記録終了時間「ＥｎｄＴｉｍｅ：２３００１０」が記録されることとなる。
【００４８】
また、本実施の形態においてユーザが再生モードを設定した場合には、前述した第１の実施の形態と同様に、図５に示したフローチャートに従って処理を実行する。したがって、ステップＳ２０４で、選択されているラベルの情報を表示すると、表示装置７には、図１０に示したように、記録開始時のファイル番号、記録開始日、記録開始時間、場所等のみらず、記録終了時ファイル番号、記録終了日、記録終了時間も表示される。
【００４９】
したがって、ユーザは表示装置７に変更されて表示されるラベルの情報を視認することにより、表示させるようとする目的の画像ファイルがいずれのラベルに対応するかを容易に認識することが可能となる。
【００５０】
なお、各実施の形態においては、図３のステップＳ１０２、図７のステップＳ３０２、図９のステップＳ５０２において、「ラベルを作る」かどうかの選択画面を表示装置７に表示して、これが決定キーの操作により選択されたと判断された場合にラベルの作成書き込み処理（ステップＳ１０４、ステップＳ３０４、ステップＳ５０４）を行うようにした。しかし、ステップＳ１０２、ステップＳ３０２、ステップＳ５０２の判断を行うことなく、電源ＯＮ動作時に直接ステップＳ１０４、ステップＳ３０４、ステップＳ５０４でラベルの作成書き込み処理を行うようにしてもよい。
【００５１】
【発明の効果】
以上説明したように本発明によれば、符号を付されて記憶されているファイルに基づく画像を当該撮像装置にて再生表示する場合、あるいは画像記憶手段に記憶されているファイルに基づく画像を他の装置において再生表示する場合、索引データ記憶手段に記憶されている索引データを表示させれば、ユーザは所定の指示があった時点における符号を知ることができる。したがって、この符号を手掛かりにして、画像記憶手段に記憶されて符号を検索することにより、目的とする符号のファイルを迅速かつ容易に見つけ出すことができる。
【００５２】
また、本発明によれば、符号を付されて画像記憶手段に記憶されているファイルに基づく画像を当該撮像装置にて再生表示する場合、第２のモードを設定すると、索引データ記憶手段に記憶されている索引データが表示手段に表示され、ユーザは所定の指示があった時点における符号を知ることができる。したがって、この符号を手掛かりにして、画像記憶手段に記憶されて符号を検索することにより、目的とする符号のファイルを迅速かつ容易に見つけ出して表示手段に表示させることができる。
【図面の簡単な説明】
【図１】本発明の各実施の形態に共通するデジタルカメラのブロック図である。
【図２】各実施の形態に共通する画像記録媒体のファイル構成図である。
【図３】第１の実施の形態における撮影モード時の処理手順を示すフローチャートである。
【図４】同実施の形態におけるラベルの記録データを示す図である。
【図５】同実施の形態における再生モード時の処理手順を示すフローチャートである。
【図６】同実施の形態の表示遷移図である。
【図７】本発明の第２の実施の形態における撮影モード時の処理手順を示すフローチャートである。
【図８】本発明の第３実施の形態における再生モード時の処理手順を示すフローチャートである。
【図９】本発明の第４の実施の形態における撮影モード時の処理手順を示すフローチャートである。
【図１０】同実施の形態におけるラベルの記録データを示す図である。
【符号の説明】
１　　光学レンズ
２　　撮像素子
３　　ＴＧ
４　　ユニット回路
６　　画像処理回路／ＣＰＵ
８　　画像記録媒体
９　　操作キー部
１０　　メモリー
【図１】
2004088554.tif 000003
【図２】
2004088554.tif 000004
【図３】
2004088554.tif 000005
【図４】
2004088554.tif 000006
【図５】
2004088554.tif 000007
【図６】
2004088554.tif 000008
【図７】
2004088554.tif 000009
【図８】
2004088554.tif 000010
【図９】
2004088554.tif 000011
【図１０】
2004088554.tif 000012